(57)【要約】【課題】コネクタを組み付ける等のための操作スペースを低減できるとともに、小型化を図ることができるコネクタホルダを提供する。【解決手段】本ホルダは、複数のコネクタ２ａを保持可能なコネクタホルダ１であって、コネクタを挿入可能なコネクタ挿入部４と、コネクタより延びるワイヤーハーネス５を挿入可能なハーネス挿入部６と、コネクタ挿入部に挿入されたコネクタに相手側のコネクタ２ｂを接続するためのコネクタ接続部７と、を備え、コネクタ挿入部から複数のコネクタを順に挿入することで複数のコネクタを重ね合わせた状態で保持可能とした。【選択図】図１
2012216479.tif 000002
【特許請求の範囲】
【請求項１】
複数のコネクタを保持可能なコネクタホルダであって、
前記コネクタを挿入可能なコネクタ挿入部と、該コネクタより延びるワイヤーハーネスを挿入可能なハーネス挿入部と、該コネクタ挿入部に挿入された該コネクタに相手側のコネクタを接続するためのコネクタ接続部と、を備え、
前記コネクタ挿入部から複数の前記コネクタを順に挿入することで複数の該コネクタを重ね合わせた状態で保持可能としたことを特徴とするコネクタホルダ。
【請求項２】
前記コネクタ挿入部には、前記コネクタの脱出防止用のストッパが設けられている請求項１記載のコネクタホルダ。
【請求項３】
前記コネクタをコネクタ挿入方向と反対側に向かって付勢する付勢部材を更に備える請求項２記載のコネクタホルダ。
【請求項４】
前記コネクタ挿入部から前記コネクタを挿入するときに、該コネクタに設けられた被案内部をコネクタ挿入方向に沿って案内する案内部を更に備える請求項１乃至３のいずれか一項に記載のコネクタホルダ。
【発明の詳細な説明】
【技術分野】
【０００１】
本発明は、コネクタホルダに関し、さらに詳しくは、コネクタを組み付ける等のための操作スペースを低減できるとともに、小型化を図ることができるコネクタホルダに関する。
【背景技術】
【０００２】
従来のコネクタホルダとして、複数のコネクタを保持可能なものが一般に知られている（例えば、特許文献１参照）。このコネクタホルダ１０１は、例えば、図１０に示すように、金属板からなり車両用シートを構成するシートフレーム１１７に固定されて使用される。そして、コネクタホルダ１０１には、互いに離間して複数の組付部１１８が設けられ、これら各組付部１１８のそれぞれにコネクタ１０２ａが組み付けられる。なお、上記各コネクタ１０２ａから延びるワイヤーハーネス１０５は、各種機能部（例えば、パワーシート部、エアバッグ部、シートベルト部等）に接続される。
【先行技術文献】
【特許文献】
【０００３】
【特許文献１】特開２００９−１７０２１９号公報
【発明の概要】
【発明が解決しようとする課題】
【０００４】
しかし、上記従来のコネクタホルダ１０１では、互いに離間して複数の組付部１１８が設けられているので、各組付部１１８のそれぞれの近傍に所定の操作スペース（即ち、ハンドスペース）を設定しておき、それらの操作スペースを利用して、コネクタホルダ１０１に対して複数のコネクタ１０２ａを組み付けたり、組み付けられた各コネクタ１０２ａに対して相手側の各コネクタ１０２ｂを接続したりする必要がある。その結果、操作スペースが多くなり、またコネクタホルダが大型化してしまう等の問題がある。
【０００５】
本発明は、上記現状に鑑みてなされたものであり、コネクタを組み付ける等のための操作スペースを低減できるとともに、小型化を図ることができるコネクタホルダを提供することを目的とする。
【課題を解決するための手段】
【０００６】
上記問題を解決するために、請求項１に記載の発明は、複数のコネクタを保持可能なコネクタホルダであって、前記コネクタを挿入可能なコネクタ挿入部と、該コネクタより延びるワイヤーハーネスを挿入可能なハーネス挿入部と、該コネクタ挿入部に挿入された該コネクタに相手側のコネクタを接続するためのコネクタ接続部と、を備え、前記コネクタ挿入部から複数の前記コネクタを順に挿入することで複数の該コネクタを重ね合わせた状態で保持可能としたことを要旨とする。
請求項２に記載の発明は、請求項１記載において、前記コネクタ挿入部には、前記コネクタの脱出防止用のストッパが設けられていることを要旨とする。
請求項３に記載の発明は、請求項２記載において、前記コネクタをコネクタ挿入方向と反対側に向かって付勢する付勢部材を更に備えることを要旨とする。
請求項４に記載の発明は、請求項１乃至３のいずれか一項に記載において、前記コネクタ挿入部から前記コネクタを挿入するときに、該コネクタに設けられた被案内部をコネクタ挿入方向に沿って案内する案内部を更に備えることを要旨とする。
【発明の効果】
【０００７】
本発明のコネクタホルダによると、コネクタ挿入部から複数のコネクタが順に挿入されて複数のコネクタが重ね合わされた状態で保持される。また、コネクタ接続部を介してコネクタ挿入部から挿入されたコネクタに相手側のコネクタが接続される。これにより、コネクタ挿入部及びコネクタ接続部の近傍に操作スペースを設定すれば、コネクタホルダに対して複数のコネクタを組み付けたり、各コネクタに対して相手側の各コネクタを接続したりすることができる。よって、従来のように複数の組付部を備えるコネクタホルダに比べて、コネクタを組み付ける等ための操作スペースを低減できるとともに、小型化を図ることができる。
また、前記コネクタ挿入部にストッパが設けられている場合は、ストッパによりコネクタの脱出が防止される。よって、コネクタを確実に保持できる。
また、付勢部材を更に備える場合は、付勢部材によりコネクタがコネクタ挿入方向と反対側に向かって付勢される。よって、コネクタのガタツキが防止されてコネクタを更に確実に保持できる。
さらに、案内部を更に備える場合は、コネクタ挿入部からコネクタを挿入するときに、案内部によりコネクタの被案内部がコネクタ挿入方向に沿って案内される。よって、コネクタのガタツキが防止されてコネクタを更に確実に保持できる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るコネクタホルダのハーネス挿入部側から見た斜視図である。
【図２】上記コネクタホルダのコネクタ接続部側から見た斜視図である。
【図３】上記コネクタホルダの縦断面図である。
【図４】上記コネクタホルダの底面図である。
【図５】上記コネクタホルダの案内部等を説明するための説明図である。
【図６】上記コネクタホルダに対するコネクタの使用方法を説明するための説明図である。
【図７】上記コネクタホルダに対するコネクタの使用方法を説明するための説明図である。
【図８】上記コネクタホルダに対するコネクタの使用方法を説明するための説明図である。
【図９】他の形態のコネクタホルダを説明するための説明図である。
【図１０】従来のコネクタホルダの斜視図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．コネクタホルダ
本実施形態１．にコネクタホルダは、複数のコネクタ（２ａ）を保持可能なコネクタホルダ（１）であって、コネクタ（２ａ）を挿入可能なコネクタ挿入部（４）と、コネクタ（２ａ）より延びるワイヤーハーネス（５）を挿入可能なハーネス挿入部（６）と、コネクタ挿入部（４）に挿入されたコネクタ（２ａ）に相手側のコネクタ（２ｂ）を接続するためのコネクタ接続部（７）と、を備え、コネクタ挿入部（４）から複数のコネクタ（２ａ）を順に挿入することで複数のコネクタ（２ａ）を重ね合わせた状態で保持可能としたことを特徴とする（例えば、図１、図２及び図８等参照）。なお、上記「相手側のコネクタ」とは、コネクタ挿入部に挿入されたオス又はメスのコネクタに接続可能なメス又はオスのコネクタを意図する。
【００１１】
本実施形態１．に係るコネクタホルダとしては、例えば、上記コネクタ挿入部（４）には、コネクタ（２ａ）の脱出防止用のストッパ（９ａ〜９ｄ）が設けられている形態（例えば、図５等参照）を挙げることができる。この場合、例えば、上記ストッパ（９ａ〜９ｄ）は、コネクタホルダ（１）と一体に形成され、コネクタ挿入部（４）から挿入されるコネクタ（２ａ）に押圧されて弾性変形されることができる（例えば、図６等参照）。これにより、ストッパを簡易且つ安価な構造とし得る。また、例えば、上記コネクタ挿入部（４）には、ストッパ（９ａ〜９ｃ）に当接してストッパ（９ａ〜９ｃ）のコネクタ挿入方向（Ｄ）と反対側への弾性変形を規制するロック部材（１０ａ〜１０ｃ）が設けられていることができる。これにより、コネクタの脱出を更に確実に防止できる。
【００１２】
本実施形態１．に係るコネクタホルダとしては、例えば、上記コネクタ（２ａ）をコネクタ挿入方向（Ｄ）と反対側に向かって付勢する付勢部材（１１）を更に備える形態（例えば、図３等参照）を挙げることができる。この場合、例えば、上記付勢部材（１１）の先端側には、コネクタ（２ａ）の表面を押圧する板状の押圧部材（１２）が接続されていることができる。これにより、コネクタの表面を均等に押圧してガタツキを更に確実に抑制できる。
【００１３】
本実施形態１．に係るコネクタホルダとしては、例えば、上記コネクタ挿入部（４）からコネクタ（２ａ）を挿入するときに、コネクタ（２ａ）に設けられた被案内部（１５ａ〜１５ｃ）をコネクタ挿入方向（Ｄ）に沿って案内する案内部（１６ａ〜１６ｃ）を更に備える形態（例えば、図５等参照）を挙げることができる。この場合、例えば、上記被案内部（１５ａ〜１５ｃ）及び案内部（１６ａ〜１６ｃ）は、コネクタ（２ａ）の挿入向きに応じてコネクタ（２ａ）の挿入を規制するように構成されていることができる。これにより、上下反転等してコネクタの挿入向きを誤って組み付けてしまうことを防止できる。
【００１４】
本実施形態１．に係るコネクタホルダとしては、例えば、複数のコネクタ（２ａ）を収納可能な箱状に形成され、上記コネクタ挿入部（４）、ハーネス挿入部（６）及びコネクタ接続部（７）を有するホルダ本体（３）を備える形態（例えば、図１及び図２等参照）を挙げることができる。これにより、コネクタホルダの剛性を高めることができる。
【００１５】
２．コネクタホルダの使用方法
本実施形態２．に係るコネクタホルダの使用方法は、上記実施形態１．のコネクタホルダ（１）の使用方法であって、コネクタホルダ（１）に複数のコネクタ（２ａ）を保持する工程と、相手側の複数のコネクタ（２ｂ）を相手側コネクタホルダ（１８）に保持する工程と、各コネクタ（２ａ）と相手側の各コネクタ（２ｂ）とを一度に接続する工程と、を備えることを特徴とする（例えば、図８等参照）。これにより、コネクタ同士の接続作業回数を低減できる。
【実施例】
【００１６】
以下、図面を用いて実施例により本発明を具体的に説明する。なお、本実施例では、車両用シートを構成するシートフレームに固定されて使用されるコネクタホルダを例示する。
【００１７】
（１）コネクタホルダの構成
本実施例に係るコネクタホルダ１は、図１及び図２に示すように、複数のコネクタ２ａ（例えば、オスコネクタ）を収納保持し得るように箱状に形成された樹脂製のホルダ本体３を備えている。このホルダ本体３は、略矩形状の天板３ａと、この天板３ａの側縁から下方に延びる各側板３ｂ，３ｃ，３ｄ，３ｅと、を備えている。そして、ホルダ本体３の底側は開放されてコネクタ２ａを挿入可能なコネクタ挿入部４とされている。また、ホルダ本体３の側壁３ｂには、コネクタ挿入部４に挿入されるコネクタ２ａより延びるワイヤーハーネス５を挿入可能な切欠き状のハーネス挿入部６が形成されている。また、ホルダ本体３の側壁３ｂに対向する側壁３ｃには、ホルダ本体３内に収納保持されたコネクタ２ａに相手側のコネクタ２ｂ（例えば、メスコネクタ）を接続するためのコネクタ接続部７が形成されている。
【００１８】
上記コネクタ挿入部４の４隅部のそれぞれには、図４及び図５に示すように、コネクタ挿入部４から挿入されるコネクタ２ａの脱出防止用の板状のストッパ９ａ，９ｂ，９ｃ，９ｄが設けられている。これら各ストッパ９ａ〜９ｄは、ホルダ本体３と一体に形成され、コネクタ挿入部４から挿入されるコネクタ２ａにより押圧されて弾性変形される位置に配設されている。また、上記コネクタ挿入部４の縁側には、各ストッパ９ａ，９ｂのそれぞれに当接するロック部材１０ａ，１０ｂと、各ストッパ９ｃ，９ｄのそれぞれに当接するロック部材１０ｃと、が着脱自在に取り付けられている。これら各ロック部材１０ａ〜１０ｃが各ストッパ９ａ〜９ｄに当接することにより、ストッパ９ａ〜９ｄのコネクタ挿入方向Ｄと反対側への弾性変形が規制される。なお、各ロック部材１０ａ〜１０ｃは、コネクタ挿入部４から挿入されるコネクタ２ａに干渉しない位置に配設されている。
【００１９】
上記ホルダ本体３の天板３ａの下面には、図３に示すように、コネクタ挿入部４から挿入されるコネクタ２ａを挿入方向Ｄと反対側に向かって付勢するコイルバネ１１（本発明に係る「付勢部材」として例示する。）の上端側が固定されている。このコイルバネ１１の下端側には、コネクタ２ａの上面に当接可能な板状の押圧部材１２が接続されている。よって、コネクタ挿入部４から挿入される各コネクタ２ａは、押圧部材１２と各ストッパ９ａ〜９ｄとの間で重ね合わされた状態で挟持される（図７参照）。なお、上記天板３ａの上面には、シートフレーム１７に着脱自在に取り付けられるクリップ１３が固定されている（図３参照）。
【００２０】
上記ホルダ本体３の側板３ｄ，３ｅには、図４及び図５に示すように、コネクタ挿入部４からコネクタ２ａを挿入するときに、コネクタ２ａの側面に設けられた凸状のリブ１５ａ，１５ｂ，１５ｃ（本発明に係る「被案内部」として例示する。）をコネクタ挿入方向Ｄに沿って案内する凹溝状の案内部１６ａ，１６ｂ，１６ｃが形成されている。ここで、上記リブ１５ａ〜１５ｃ及び案内部１６ａ〜１６ｃの本数は、コネクタ２ａの左右で異なっており、コネクタ２ａの挿入向きに応じてコネクタ２ａの挿入を規制するように構成されている。
【００２１】
（２）コネクタホルダの使用方法
次に、上記構成のコネクタホルダ１の使用方法について説明する。図６に示すように、シートフレーム１７に装着されたコネクタホルダ１において、コネクタ挿入部４から複数のコネクタ２ａを順に挿入するとともに、各コネクタ２ａから延びるワイヤーハーネス５をハーネス挿入部６に挿入していく。このとき、各コネクタ２ａは、そのリブ１５ａ〜１５ｃが案内部１６ａ〜１６ｃによりコネクタ挿入方向Ｄに沿って案内される（図５参照）。また、各コネクタ２ａは、各ストッパ９ａ〜９ｄを弾性変形させるとともに、押圧部材１２により下方に向かって押圧される。
【００２２】
そして、図７に示すように、各コネクタ２ａは、弾性変形された各ストッパ９ａ〜９ｄが元の形状に戻ることにより押圧部材１２とストッパ９ａ〜９ｄとの間で重ね合わされた状態で挟持される。次いで、図８に示すように、各コネクタ２ａに対応する相手側の各コネクタ２ｂを相手側コネクタホルダ１８に保持させる。その後、コネクタ接続部７を介して各コネクタ２ａと相手側の各コネクタ２ｂとを一度に接続させる。なお、上記ホルダ本体３からロック部材１０ａ〜１０ｃを取り外せば、コネクタホルダ１から各コネクタ２ａを取り出すことができる。
【００２３】
（３）実施例の効果
以上より、本実施例のコネクタホルダ１によると、コネクタ挿入部４から複数のコネクタ２ａが順に挿入されて複数のコネクタ２ａが重ね合わされた状態で保持される。また、コネクタ接続部７を介してコネクタ挿入部４から挿入されたコネクタ２ａに相手側のコネクタ２ｂが接続される。これにより、コネクタ挿入部４及びコネクタ接続部７の近傍に操作スペースを設定すれば、コネクタホルダ１に対して複数のコネクタ２ａを組み付けたり、各コネクタ２ａに対して相手側の各コネクタ２ｂを接続したりすることができる。よって、従来のように複数の組付部１１８を備えるコネクタホルダ１０１（図１０参照）に比べて、コネクタ２ａ，２ｂを組み付ける等ための操作スペースを低減できるとともに、小型化を図ることができる。そして、コネクタホルダ１の小型化によりシート下の使用スペースを低減できる。
【００２４】
また、本実施例では、コネクタ挿入部４にストッパ９ａ〜９ｄが設けられているので、ストッパ９ａ〜９ｄによりコネクタ２ａの脱出が防止される。よって、コネクタ２ａを確実に保持できる。特に、本実施例では、ストッパ９ａ〜９ｄは、コネクタホルダ１と一体に形成され、コネクタ挿入部４から挿入されるコネクタ２ａに押圧されて弾性変形可能とされているので、ストッパ９ａ〜９ｄを簡易且つ安価な構造とし得る。また、本実施例では、コネクタ挿入部４には、ストッパ９ａ〜９ｄに当接してストッパ９ａ〜９ｄのコネクタ挿入方向Ｄと反対側への弾性変形を規制するロック部材１０ａ〜１０ｃが設けられているので、コネクタ２ａの脱出を更に確実に防止できる。
【００２５】
また、本実施例では、コイルバネ１１を更に備えるので、コイルバネ１１によりコネクタ２ａが挿入方向Ｄと反対側に向かって付勢される。よって、コネクタ２ａのガタツキが防止されてコネクタ２ａを更に確実に保持できる。特に、本実施例では、コイルバネ１１の先端側には、コネクタ２ａの表面を押圧する板状の押圧部材１２が接続されているので、コネクタ２ａの表面を均等に押圧してガタツキを更に確実に抑制できる。
【００２６】
また、本実施例では、案内部１６ａ〜１６ｃを更に備えるので、コネクタ挿入部４からコネクタ２ａを挿入するときに、案内部１６ａ〜１６ｃによりコネクタ２ａのリブ１５ａ〜１５ｃがコネクタ挿入方向Ｄに沿って案内される。よって、コネクタ２ａのガタツキが防止されてコネクタ２ａを更に確実に保持できる。特に、本実施例では、リブ１５ａ〜１５ｃ及び案内部１６ａ〜１６ｃは、コネクタ２ａの挿入向きに応じてコネクタ２ａの挿入を規制するように構成されているので、上下反転等してコネクタ２ａの挿入向きを誤って組み付けてしまうことを防止できる。
【００２７】
また、本実施例では、複数のコネクタ２ａを収納可能な箱状に形成され、コネクタ挿入部４、ハーネス挿入部６及びコネクタ接続部７を有するホルダ本体３を備えるので、コネクタホルダ１の剛性を高めることができる。
【００２８】
さらに、本実施例のコネクタホルダの使用方法によると、コネクタホルダ１に複数のコネクタ２ａを保持する工程と、相手側の複数のコネクタ２ｂを相手側コネクタホルダ１８に保持する工程と、各コネクタ２ａと相手側の各コネクタ２ｂとを一度に接続する工程と、を備えるので、コネクタ２ａ，２ｂ同士の接続作業回数を低減できる。これに対して、例えば、図１０に示すように、複数の組付部１１８を備えるコネクタホルダ１０１では、各コネクタ１０２ａのそれぞれに対して相手側の各コネクタ１０２ｂを接続する必要があり、接続作業回数が多くなってしまう。
【００２９】
尚、本発明においては、上記実施例に限られず、目的、用途に応じて本発明の範囲内で種々変更した実施例とすることができる。すなわち、上記実施例では、コネクタ挿入方向Ｄが垂直方向となるようにコネクタホルダ１を設置する形態を例示したが、これに限定されず、例えば、コネクタ挿入方向Ｄが水平方向又は水平に対して傾斜する傾斜方向となるようにコネクタホルダ１を設置するようにしてもよい。
【００３０】
また、上記実施例では、複数のコネクタ２ａを収納保持可能な箱状に形成されたコネクタホルダ１を例示したが、これに限定されず、例えば、複数のコネクタ２ａを外部に露出した状態で保持可能なコネクタホルダとしてもよい。
【００３１】
また、上記実施例では、複数のコネクタ２ａを収納保持した状態でコネクタホルダ１を使用する形態を例示したが、これに限定されず、例えば、単一のコネクタ２ａを収納保持した状態でコネクタホルダ１を使用してもよい。また、上記実施例では、コネクタ挿入部４から複数のコネクタ２ａを１つずつ別々で順に挿入する形態を例示したが、これに限定されず、例えば、コネクタ挿入部４から予め重ね合わせた状態の複数のコネクタ２ａを順に挿入するようにしてもよい。
【００３２】
また、上記実施例では、ストッパ９ａ〜９ｄのコネクタ挿入方向Ｄと反対側への弾性変形を規制するロック部材１０ａ〜１０ｃを備える形態を例示したが、これに限定されず、例えば、付勢部材（コイルバネ１１）の付勢力がストッパ９ａ〜９ｄの弾性力より小さければロック部材１０ａ〜１０ｃを備える必要はない。
【００３３】
また、上記実施例では、コネクタホルダ１に一体形成されるストッパ９ａ〜９ｄを例示したが、これに限定されず、例えば、コネクタホルダ１に後付けされるストッパとしてもよい。また、上記実施例では、コネクタホルダ１に着脱自在に取り付けられるロック部材１０ａ〜１０ｃを例示したが、これに限定されず、例えば、図９に示すように、ストッパ９ａ〜９ｄを支持するロック位置Ａ（図中実線で示す。）とストッパの支持を開放する開放位置Ｂ（図中仮想線で示す。）との間で回動自在に支持されたロック部材１０ａ’〜１０ｃ’を採用してもよい。なお、上記ロック部材１０ａ’〜１０ｃ’を開放位置Ｂに位置させれば、ホルダ本体３内に収納されたコネクタ２ａを外部に取り出すことができる。
【００３４】
また、上記実施例では、付勢部材としてコイルバネ１１を例示したが、これに限定されず、例えば、付勢部材としてゴム、スポンジ等の弾性材を採用してもよい。また、上記実施例では、押圧部材１２でコネクタ２ａを押圧するようにしたが、これに限定されず、例えば、付勢部材で直接的にコネクタを押圧するようにしてもよい。
【００３５】
また、上記実施例では、コネクタホルダ１に、コネクタ２ａに設けた凸状の被案内部（リブ１５ａ〜１５ｃ）を案内する凹溝状の案内部１６ａ〜１６ｃを設ける形態を例示したが、これに限定されず、例えば、コネクタホルダ１に、コネクタ２ａに設けた凹溝状の被案内部を案内する凸状の案内部を設けるようにしてもよい。また、コネクタホルダ１に、コネクタ２ａの隅角部（被案内部）を案内する案内部を設けるようにしてもよい。
【００３６】
また、上記実施例では、リブ１５ａ〜１５ｃ及び案内部１６ａ〜１６ｃの本数を左右で異ならせることによりコネクタ２ａの挿入向きに応じてコネクタ２ａの挿入を規制するようにしたが、これに限定されず、例えば、リブ及び案内部の形状又は大きさ等を左右で異ならせることによりコネクタの挿入向きに応じてコネクタの挿入を規制するようにしてもよい。
【００３７】
さらに、上記実施例では、相手側コネクタホルダ１８を用いて各コネクタ２ａと相手側の各コネクタ２ｂとを一度に接続する形態を例示したが、これに限定されず、例えば、相手側コネクタホルダ１８を用いずに、コネクタホルダ１に保持された各コネクタ２ａに対して相手側の各コネクタ２ｂを１つずつ別々で接続するようにしてもよい。
【００３８】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３９】
本発明は上記で詳述した実施形態に限定されず、本発明の請求項に示した範囲で様々な変形または変更が可能である。
【産業上の利用可能性】
【００４０】
複数のコネクタを保持可能なコネクタホルダに関する技術として広く利用される。
【符号の説明】
【００４１】
１；コネクタホルダ、２ａ；コネクタ、２ｂ；相手側のコネクタ、４；コネクタ挿入部、５；ワイヤーハーネス、６；ハーネス挿入部、７；コネクタ接続部、９ａ〜９ｄ；ストッパ、１１；コイルバネ、１５ａ〜１５ｃ；リブ、１６ａ〜１６ｃ；案内部、Ｄ；コネクタ挿入方向。
【図１】
2012216479.tif 000003
【図２】
2012216479.tif 000004
【図３】
2012216479.tif 000005
【図４】
2012216479.tif 000006
【図５】
2012216479.tif 000007
【図６】
2012216479.tif 000008
【図７】
2012216479.tif 000009
【図８】
2012216479.tif 000010
【図９】
2012216479.tif 000011
【図１０】
2012216479.tif 000012